(57)【要約】【解決手段】シェービングエイド２８を有するシェービングエイド部材２７は、剃刀ヘッド１６に対しガードに対する反対側で並ぶように配設されて剃刀ヘッド１６に対し回動可能に支持され、回動方向Ｒの両側向きＲＦ，ＲＢのうち一方の向きＲＦへ板ばね３１により付勢されて停止する初期位置Ａから他方の向きＲＢへ板ばね３１の弾性力に抗して所定回動範囲だけ回動し得る。【効果】シェービングエイド部材２７が初期位置Ａから板ばね３１の弾性力に抗して所定回動範囲だけ回動するので、剃刀ヘッド１６及びシェービングエイド部材２７を皮膚面に当てがった際、シェービングエイド部材２７を適度な弾力により皮膚面に当てがうことができる。従って、シェービングエイド２８付き剃刀において使用時の感触を良くすることができる。【選択図】図６
2007068923.tif 000002
【特許請求の範囲】
【請求項１】
刃体を有する剃刀ヘッドを備えた剃刀において、その剃刀ヘッドに対し移動し得るシェービングエイド部材を設け、その移動方向へ弾性体により付勢されて停止する初期位置から弾性体の弾性力に抗して所定移動範囲だけ移動し得ることを特徴とする剃刀。
【請求項２】
前記初期位置は移動方向の両側向きのうち一方の向きへ弾性体により付勢されて停止するものであり、その初期位置から他方の向きへ弾性体の弾性力に抗して所定移動範囲だけ移動し得ることを特徴とする請求項１に記載の剃刀。
【請求項３】
前記シェービングエイド部材の移動は回動であることを特徴とする請求項１または請求項２に記載の剃刀。
【請求項４】
前記シェービングエイド部材は刃体の刃先の延設方向に沿う回動中心線を中心に剃刀ヘッドに対し所定回動範囲内で揺動可能に支持されていることを特徴とする請求項３に記載の剃刀。
【請求項５】
前記シェービングエイド部材はシェービングエイドを載せる台部材を備え、この台部材は、剃刀ヘッドに対し刃体の刃先の延設方向の両側で並ぶように配設された腕部を有し、この両腕部で剃刀ヘッドに対し回動中心部により支持されていることを特徴とする請求項３または請求項４に記載の剃刀。
【請求項６】
前記剃刀ヘッドにおいては、組付部材に刃体を設け、この組付部材にガードをこの刃体の刃先に面して設けていることを特徴とする請求項１から請求項５のうちいずれかの請求項に記載の剃刀。
【請求項７】
前記シェービングエイド部材は剃刀ヘッドの組付部材に対しガードに対する反対側で並ぶように配設されていることを特徴とする請求項６に記載の剃刀。
【請求項８】
前記組付部材においては刃台と天板との間に刃体を設けて表側へ露出させ、前記シェービングエイド部材においては初期位置でシェービングエイドがこのガードと天板とを結ぶ皮膚接触面から表側へ突出していることを特徴とする請求項６または請求項７に記載の剃刀。
【発明の詳細な説明】
【技術分野】
【０００１】
本発明は、刃体を有する剃刀ヘッドにシェービングエイドを設けた剃刀に関するものである。
【背景技術】
【０００２】
下記特許文献１では、剃刀ヘッドの天板上にシェービングエイドが埋め込まれて露出している。
【特許文献１】特開２００１−３８０７２号公報
【発明の開示】
【発明が解決しようとする課題】
【０００３】
しかし、上記特許文献１では、シェービングエイドが剃刀ヘッドの天板上で固定状態となっているため、剃刀ヘッドを皮膚面に当てがった際、シェービングエイドが皮膚面を必要以上の力で押え、使用時の感触が悪くなるおそれがあった。
【０００４】
この発明は、シェービングエイド付き剃刀において使用時の感触を良くすることを目的としている。
【課題を解決するための手段】
【０００５】
後記実施形態の図面（図１〜７）の符号を援用して本発明を説明する。
請求項１の発明にかかる剃刀においては、刃体１９を有する剃刀ヘッド１６を備え、その剃刀ヘッド１６に対し移動し得るシェービングエイド部材２７を設け、その移動方向Ｒへ弾性体３１により付勢されて停止する初期位置Ａから弾性体３１の弾性力に抗して所定移動範囲だけ移動し得る。例えば、シェービングエイド部材２７を剃刀ヘッド１６に支持する。その移動は、請求項３の発明に記載した回動以外に、平行移動も含む。
【０００６】
請求項１の発明を前提とする請求項２の発明において、前記初期位置Ａは移動方向Ｒの両側向きＲＦ，ＲＢのうち一方の向きＲＦへ弾性体３１により付勢されて停止するものであり、その初期位置Ａから他方の向きＲＢへ弾性体３１の弾性力に抗して所定移動範囲だけ移動し得る。
【０００７】
請求項１または請求項２の発明を前提とする請求項３の発明において、前記シェービングエイド部材２７の移動は回動である。
請求項１〜３の発明では、シェービングエイド部材２７が初期位置Ａから弾性体３１の弾性力に抗して所定移動範囲だけ移動するので、剃刀ヘッド１６及びシェービングエイド部材２７を皮膚面に当てがった際、シェービングエイド部材２７を適度な弾力により皮膚面に当てがうことができる。特に、皮膚面に起伏がある場合にはその起伏にシェービングエイド部材２７を追従させることができる。
【０００８】
請求項３の発明を前提とする請求項４の発明において、前記シェービングエイド部材２７は刃体１９の刃先１９ａの延設方向Ｙに沿う回動中心線２６ａを中心に剃刀ヘッド１６に対し所定回動範囲内で揺動可能に支持されている。請求項４の発明では、剃刀ヘッド１６及びシェービングエイド部材２７を皮膚面に当てがった際、シェービングエイド部材２７を皮膚面に対し平均的に当てがうことができる。
【０００９】
請求項３または請求項４の発明を前提とする請求項５の発明において、前記シェービングエイド部材２７はシェービングエイド２８を載せる台部材２９を備え、この台部材２９は、剃刀ヘッド１６に対し刃体１９の刃先１９ａの延設方向Ｙの両側で並ぶように配設された腕部３０を有し、この両腕部３０で剃刀ヘッド１６に対し回動中心部２６，３２により支持されている。請求項５の発明では、シェービングエイド２８を有するシェービングエイド部材２７をコンパクトにまとめて剃刀ヘッド１６に支持することができる。
【００１０】
請求項１から請求項５のうちいずれかの請求項の発明を前提とする請求項６の発明において、前記剃刀ヘッド１６では、組付部材１７，１８に刃体１９を設け、この組付部材１７，１８にガード１７ａをこの刃体１９の刃先１９ａに面して設けている。請求項６の発明では、ガード１７ａを有する剃刀ヘッド１６において請求項１から請求項５のうちいずれかの請求項の発明の効果を発揮させることができる。
【００１１】
請求項６の発明を前提とする請求項７の発明において、前記シェービングエイド部材２７は剃刀ヘッド１６の組付部材１７，１８に対しガード１７ａに対する反対側で並ぶように配設されている。請求項７の発明では、シェービングエイド部材２７を剃刀ヘッド１６に対しコンパクトに配置することができるとともに、剃刀の使い勝手が良くなる。
【００１２】
請求項６または請求項７の発明を前提とする請求項８の発明において、前記組付部材１７，１８では刃台１７と天板１８との間に刃体１９を設けて表側へ露出させ、前記シェービングエイド部材２７では初期位置Ａでシェービングエイド２８がこのガード１７ａと天板１８とを結ぶ皮膚接触面Ｈから表側へ突出している。請求項８の発明では、剃刀ヘッド１６及びシェービングエイド部材２７を皮膚面に当てがうと、その皮膚面にシェービングエイド２８が接触した後、剃刀ヘッド１６の刃体１９が皮膚面に当てがわれる。そのため、シェービングエイド２８が使用により減ってもシェービングエイド２８を皮膚面に対し確実に接触させることができる。
【発明の効果】
【００１３】
本発明は、シェービングエイド２８付き剃刀において使用時の感触を良くすることができる。
【発明を実施するための最良の形態】
【００１４】
以下、本発明の一実施形態にかかる首振り式剃刀について図面を参照して説明する。
図１（ａ）（ｂ）及び図２（ａ）（ｂ）に示すホルダ１はプラスチックにより成形され、このホルダ１の頭部２内には、図２（ｃ）に示すように、金属からなる左右両支持アーム３と、プラスチックからなる二股状のプッシャ４と、プラスチックからなる操作摘み５と、金属からなる圧縮コイルばね６とが組み込まれている。この頭部２の前端部の左右両側には開口７が形成されている。前記左右両支持アーム３は、基端部で頭部２の支軸８を中心に左右方向Ｙへ回動可能に支持され、その基端部から頭部２の前側へ延設されて頭部２の左右両開口７から頭部２の外側へ突出する外腕部９（先端部）を有している。前記プッシャ４は、頭部２の前端部付近で左右両支持アーム３間に配置され、基端部で頭部２に対し前後方向Ｘへ移動可能に支持され、その基端部から左右両支持アーム３側へ延設された内腕部１０と、その左右両内腕部１０から前方へ延びて頭部２の左右両開口７から頭部２の外側へ突出する外腕部１１（先端部）とを有している。前記操作摘み５は、頭部２の後部で前後方向Ｘへ移動可能に支持され、頭部２の後端部から頭部２の外側へ突出している。前記圧縮コイルばね６(弾性体)は、このプッシャ４の基端部と操作摘み５との間に介在され、プッシャ４の基端部を前方へ付勢して頭部２の前端部に圧接させた状態で操作摘み５を後方へ付勢して頭部２の外側へ突出させた非操作状態にするとともに、左右両支持アーム３を操作摘み５を介して付勢して最開状態にする。この左右両支持アーム３の基端部には当接部１２が形成され、この操作摘み５の左右両側にはこの当接部１２に面する押接部１３が形成されている。この操作摘み５を圧縮コイルばね６の弾性力に抗して前方へ押すと、操作摘み５の左右両押接部１３が左右両支持アーム３の当接部１２を押して左右両支持アーム３の外腕部９が最開状態から互いに閉じる。この操作摘み５から手を離すと、操作摘み５が前記非操作状態に戻るとともに、左右両支持アーム３の外腕部９が最開状態に戻る。
【００１５】
前記左右両支持アーム３の外腕部９においてそれぞれ鉤状端部１４が形成されている。前記プッシャ４の左右両外腕部１１においてそれぞれ圧接端部１５が形成されている。この左右両支持アーム３の外腕部９とプッシャ４の左右両外腕部１１とはホルダ１の頭部２の左右両開口７及びその頭部２の前端部の外側において上下方向Ｚで互いに隣接して並んでいる。
【００１６】
図１（ａ）（ｂ）並びに図３（ａ）（ｂ）（ｃ）及び図５（ａ）（ｂ）に示す剃刀ヘッド１６においては、組付部材としての刃台１７と天板１８との間で複数（４枚）の刃体１９が挟着され、この天板１８の左右両側から突出する腕部１８ａ間で各刃体１９の刃先１９ａが表側に露出し、この刃台１７に形成されたガード１７ａに刃体１９の刃先１９ａが面している。このガード１７ａの表面側にはシェービングエイドがインサート射出成形により一体に設けられている。この剃刀ヘッド１６の裏側にある刃台１７で左右方向Ｙ（刃先１９ａの延設方向）の両側に形成された凹部２０においては、図７（ａ）（ｂ）（ｃ）に示すように、支持孔２１（支持部）と圧接部２２とが互いに隣接して並ぶように形成されている。この剃刀ヘッド１６の左右方向Ｙの両端部においては、刃台１７と天板１８とにそれぞれ壁２３，２４が突設されてそれらの壁２３，２４間にばね室２５が形成されているとともに、これらの壁２３，２４よりもガード１７ａ側で刃台１７に支軸２６が形成され、この左右両支軸２６を結ぶ回動中心線２６ａは左右方向Ｙ（刃先１９ａの延設方向）に沿う。
【００１７】
図１（ａ）（ｂ）並びに図４（ａ）（ｂ）（ｃ）及び図５（ａ）（ｂ）に示すシェービングエイド部材２７においては、プラスチックからなる台部材２９の表側に形成された凹所２８ａにシェービングエイド２８が嵌め込まれて載せられている。この台部材２９においては、左右方向Ｙの両側に両腕部３０が形成され、この左右両腕部３０の相対向面側で、左右両腕部３０の先端部に支持孔３２が形成されているとともに、この支持孔３２の付近から片持ち梁状の板ばね３１が一体に湾曲形成されてシェービングエイド２８側へ延設されている。この板ばね３１を直線的に延設させてもよい。左右両腕部３０にある板ばね３１のうち一方のものを省略してもよい。この台部材２９の左右方向Ｙの寸法は約５０ｍｍである。このシェービングエイド２８の左右方向Ｙの寸法は約３８ｍｍである。このシェービングエイド２８の表面で左右方向Ｙに対し直交する方向における幅は、左右方向Ｙの中央部で最も広くなっており、約８ｍｍである。このシェービングエイド２８はこの台部材２９の表面から高さ約５ｍｍだけ突出している。このシェービングエイド２８とは、例えば、石鹸やシェービングクリームや潤滑性助長剤やひげ軟化剤や乳液や薬剤や発毛抑制剤や脱毛剤やアフターローションや保湿剤や止血剤などの単独物ばかりでなく、これらの単独物を互いに組み合わせた複合物や、この単独物または複合物をスポンジなどの多孔質体に含ませた含有物である。
【００１８】
図５（ａ）（ｂ）に示すように、前記シェービングエイド部材２７において台部材２９とそれに載置されたシェービングエイド２８とは、剃刀ヘッド１６に対しガード１７ａに対する反対側で並ぶように配設され、この台部材２９の左右両腕部３０が剃刀ヘッド１６の左右方向Ｙの両端部の外側に当てがわれて左右両腕部３０とそれらの間の剃刀ヘッド１６とが互いに左右方向Ｙへ並ぶ。その際、この左右両腕部３０の支持孔３２に剃刀ヘッド１６の左右両支軸２６が回動中心部として挿入されるとともに、この左右両腕部３０の板ばね３１が剃刀ヘッド１６の左右両ばね室２５に挿入される。そのため、シェービングエイド部材２７は剃刀ヘッド１６に対しその表側と裏側とを結ぶ方向で揺動するように左右両支軸２６の回動中心線２６ａを中心に回動可能に支持される。
【００１９】
前記左右両支持アーム３を互いに閉じた状態でそれらの外腕部９を前記刃台１７の左右両凹部２０に挿入した後、左右両支持アーム３を最開状態にすると、図６（ａ）に示すように、剃刀ヘッド１６がホルダ１の頭部２に対し首振り可能に支持された取付状態となる。この取付状態では、図７（ａ）（ｂ）（ｃ）に示すように、この左右両外腕部９の鉤状端部１４が左右両凹部２０の支持孔２１に挿入されて支持されるとともに、前記プッシャ４の左右両外腕部１１の圧接端部１５が左右両凹部２０の圧接部２２に圧接され、この左右両鉤状端部１４を互いに結ぶ回動中心線Ｐを中心に剃刀ヘッド１６がシェービングエイド部材２７とともに首振り方向Ｑへ揺動し得る。図３（ａ）（ｂ）（ｃ）、図５（ａ）（ｂ）及び図６（ａ）に示すように、剃刀ヘッド１６に対するシェービングエイド部材２７の回動中心線２６ａは、天板１８よりもガード１７ａ側でこの回動中心線Ｐよりもガード１７ａ側に位置し、刃台１７のガード１７ａ上と天板１８上とを結ぶ皮膚接触面Ｈよりも裏側で且つそのガード１７ａよりも天板１８側に位置し、そのガード１７ａに最も近い刃体１９の刃先１９ａが延びる左右方向Ｙの延長線上またはその延長線付近に位置している。
【００２０】
図６（ａ）に示すように、台部材２９の左右両腕部３０の板ばね３１がばね室２５で刃台１７の壁２３に支えられた状態で、シェービングエイド部材２７は、その板ばね３１により剃刀ヘッド１６の裏側から表側へすなわち回動方向Ｒの両側向きＲＦ，ＲＢのうち一方の向きＲＦへ付勢され、左右両腕部３０が天板１８の壁２４に並んだところで停止する初期位置Ａとなる。その初期位置Ａでは、シェービングエイド２８が前記皮膚接触面Ｈから表側へ突出する。図６（ｂ）に示すように、使用時、このシェービングエイド部材２７は、その初期位置Ａから板ばね３１の弾性力に抗して剃刀ヘッド１６の表側から裏側へすなわち回動方向Ｒの両側向きＲＦ，ＲＢのうち他方の向きＲＢへ回動し、左右両腕部３０が刃台１７の壁２３に当接したところで停止する所定回動範囲内で、剃刀ヘッド１６に対し揺動し得る。その所定回動範囲におけるシェービングエイド部材２７の振り角については、０〜４５°好ましくは０〜３０°に設定されている。使用時にシェービングエイド２８が減って台部材２９の表面からの高さが低くなった場合には、図６（ｃ）に示すように、そのシェービングエイド２８の表面が皮膚面に当てがわれる。使用時にシェービングエイド２８が台部材２９の表面付近まで減った場合、例えば、シェービングエイド２８の表面の一部が台部材２９の表面に達した場合、剃刀ヘッド１６及びシェービングエイド部材２７の交換の目安にすることができる。
【００２１】
剃刀ヘッド１６を圧接するプッシャ４に対する圧縮コイルばね６の弾性力や、シェービングエイド部材２７に対する板ばね３１の弾性力は、種々設定することができる。例えば、圧縮コイルばね６の弾性力は板ばね３１の弾性力よりも大きく設定されている。そのため、剃刀ヘッド１６及びシェービングエイド部材２７を皮膚面に当てがうと、シェービングエイド部材２７が剃刀ヘッド１６に対し前記初期位置Ａから回動し始めた後に剃刀ヘッド１６と一体的に回動し、剃刀ヘッド１６がシェービングエイド部材２７とともに首振り方向Ｑへ揺動する。
【００２２】
また、前記左右両支持アーム３を互いに閉じた状態でそれらの外腕部９を前記刃台１７の左右両凹部２０から抜くと、剃刀ヘッド１６をホルダ１の頭部２から取り外すことができる。ちなみに、前記左右両支持アーム３については、操作摘み５を押してもすぐには閉動せず、操作摘み５が不用意に押されて剃刀ヘッド１６がホルダ１の頭部２から取り外されることを防止するため、操作摘み５をある程度押すと閉じるようになっている。
【００２３】
前記実施形態以外に下記のように構成してもよい。
＊  シェービングエイド部材２７における台部材２９と剃刀ヘッド１６の刃台１７または天板１８とを一体成形して連繋部で互いにつなぎ、その連繋部を剃刀ヘッド１６に対するシェービングエイド部材２７の回動中心部とする。
【００２４】
＊  ホルダ１の頭部２に対し剃刀ヘッド１６を一体に設けたり着脱可能に支持した剃刀において、その剃刀ヘッド１６にシェービングエイド部材２７を回動可能に支持する。
＊  前述した実施形態では、シェービングエイド部材２７を剃刀ヘッド１６に対しガード１７ａに対する反対側で並ぶように配設したが、シェービングエイド部材を剃刀ヘッド１６に対しガード１７ａ側で並ぶように配設したり左右方向Ｙの両側で並ぶように配設する。
【００２５】
＊  シェービングエイド部材２７をホルダ１に対し回動可能に支持する。
＊  シェービングエイド部材２７を剃刀ヘッド１６に対し着脱可能にして交換できるようにする。
【００２６】
＊  剃刀ヘッド１６の左右両側で刃台１７または天板１８に対し板ばね３１を一体に形成してその板ばね３１によりシェービングエイド部材２７を付勢したり、シェービングエイド部材２７の台部材２９または剃刀ヘッド１６の刃台１７や天板１８に対し左右方向Ｙの中央部で一つの板ばね３１を一体に形成してその板ばね３１によりシェービングエイド部材２７を付勢する。
【００２７】
＊  シェービングエイド２８については固形状でも液状でも半液状でもよい。固形状の場合にはそのままシェービングエイド２８を台部材２９に取着する。液状や半液状の場合には軟質または硬質の多孔質体、例えばスポンジや軽石や繊維構造である四フッ化エチレン樹脂などの多孔質体にシェービングエイド２８を含浸させたものを台部材２９に取着する。これらの多孔質体については形状の維持できるものが好ましい。この多孔質体の孔径については、種々設定できるが、０．０１〜５０μｍが好ましい。
【００２８】
＊  台部材２９に対しシェービングエイド２８をインサート射出成形により一体に設けたり、固形状のシェービングエイド２８や上記の多孔質体を台部材２９と分離して設けた後にそれらを台部材２９に取着する。
【００２９】
＊  シェービングエイド部材２７において台部材２９に対し回転可能に支持したローラの外周にシェービングエイド２８を設ける。
＊  剃刀ヘッド１６及びシェービングエイド部材２７にキャップを被せて刃体１９及びシェービングエイド２８を保護する。
【００３０】
＊  前記実施形態の首振り式剃刀は主に手足の体毛剃りに使用するが、髭剃りに使用することもできる。
次に、請求項以外の技術的思想を述べる。
【００３１】
下記第９の発明及び第１０の発明では、簡単な構造で弾性体を設けることができる。
＊  請求項１から請求項８のうちいずれかの請求項の発明を前提とする第９の発明において、弾性体は、シェービングエイド部材２７と一体的に設けられた板ばね３１であり、剃刀ヘッド１６に支えられてシェービングエイド部材２７を付勢する。
【００３２】
＊  請求項５の発明を前提とする第１０の発明において、剃刀ヘッド１６は刃体１９を設けた組付部材１７，１８を有し、弾性体は、台部材２９の両腕部３０と一体的に設けられた板ばね３１であり、この組付部材１７，１８に支えられてシェービングエイド部材２７を付勢する。
【００３３】
＊  請求項４の発明を前提とする第１１の発明は、下記のように構成されている。
前記シェービングエイド部材２７はシェービングエイド２８を載せる台部材２９を備え、この台部材２９は、剃刀ヘッド１６に対し刃体１９の刃先１９ａの延設方向Ｙの両側で並ぶように配設された腕部３０を有し、この両腕部３０で剃刀ヘッド１６に対し回動中心部２６，３２により支持されている。前記剃刀ヘッド１６では、組付部材１７，１８に刃体１９を設け、この組付部材１７，１８にガード１７ａをこの刃体１９の刃先１９ａに面して設けている。前記シェービングエイド部材２７の台部材２９とその台部材２９に載せたシェービングエイド２８とは、剃刀ヘッド１６の組付部材１７，１８に対しガード１７ａに対する反対側で並ぶように配設されている。第１１の発明では、シェービングエイド２８を有するシェービングエイド部材２７を剃刀ヘッド１６に対しコンパクトに配置することができるとともに、剃刀の使い勝手が良くなる。さらに、回動中心部２６，３２における回動中心線２６ａに対するシェービングエイド２８の回動半径が大きくなるため、シェービングエイド２８の振り角を小さくすることができる。
【図面の簡単な説明】
【００３４】
【図１】（ａ）は本実施形態にかかる首振り式剃刀において表側を示す斜視図であり、（ｂ）は同じく裏側を示す斜視図である。
【図２】（ａ）は上記首振り式剃刀においてホルダの頭部を示す平面図であり、（ｂ）は同じく側面図であり、（ｃ）は同じく平面側から見た断面図である。
【図３】（ａ）は上記首振り式剃刀において剃刀ヘッドの表側を示す正面図であり、（ｂ）は同じく裏側を示す背面図であり、（ｃ）は同じく側面図である。
【図４】（ａ）は上記首振り式剃刀においてシェービングエイド部材の表側を示す正面図であり、（ｂ）は同じく裏側を示す背面図であり、（ｃ）は（ａ）の部分側面図である。
【図５】（ａ）は上記首振り式剃刀においてシェービングエイド部材を支持した剃刀ヘッドの表側を示す正面図であり、（ｂ）は同じく裏側を示す背面図である。
【図６】（ａ）は上記首振り式剃刀においてホルダの頭部に支持した剃刀ヘッドでシェービングエイド部材が初期位置にある状態を示す側面図であり、（ｂ）（ｃ）は同じく回動位置にある状態を示す側面図である。
【図７】（ａ）は上記首振り式剃刀において両支持アームに対する剃刀ヘッドの支持構造と剃刀ヘッドに対するプッシャの圧接構造を示す部分平面図であり、（ｂ）は同じく（ａ）を平面側から見た断面図であり、（ｃ）は同じく（ａ）を側面側から見た断面図である。
【符号の説明】
【００３５】
１６…剃刀ヘッド、１７…刃台（組付部材）、１７ａ…ガード、１８…天板（組付部材）、１９…刃体、１９ａ…刃先、２６…支軸（回動中心部）、２６ａ…回動中心線、２７…シェービングエイド部材、２８…シェービングエイド、２９…台部材、３０…腕部、３１…板ばね（弾性体）、３２…支持孔（回動中心部）、Ａ…シェービングエイド部材の初期位置、Ｈ…剃刀ヘッドの皮膚接触面、Ｙ…左右方向（刃先の延設方向）Ｒ…シェービングエイド部材の移動方向、ＲＦ，ＲＢ…向き。
【図１】
2007068923.tif 000003
【図２】
2007068923.tif 000004
【図３】
2007068923.tif 000005
【図４】
2007068923.tif 000006
【図５】
2007068923.tif 000007
【図６】
2007068923.tif 000008
【図７】
2007068923.tif 000009